(57)【特許請求の範囲】
【請求項１】
電話機本体を内部に収納する筐体と、前記筐体の開口面に設けられた扉と、この扉を前記筐体に対して開閉自在に支持すると共に当該扉を閉じる方向に付勢する自動閉じ蝶番とを備えた沿線電話機であって、
前記扉を前記自動閉じ蝶番の力に抗して開いた状態に維持可能なストッパと、
駆動源を備え前記ストッパの開放維持状態を解除可能な解除手段と、
前記駆動源を作動させる制御手段と、を備え、
前記制御手段は、タイマを有し、前記扉が解放されると前記タイマの計時を開始するとともに、前記タイマにより所定時間経過したと判断すると前記解除手段の駆動源を作動させて、前記ストッパの開放維持状態を解除するように構成されていることを特徴とする沿線電話機。
【請求項２】
音声または警告を発生可能な報知手段と、前記タイマをリセットさせるための操作手段と、を備え、
前記制御手段は、前記タイマが所定時間を計時する前に、前記報知手段により前記解除手段が作動することを報知させることを特徴とする請求項１に記載の沿線電話機。
【請求項３】
前記電話機本体の電力を供給する電源装置および前記扉の開閉状態を検出可能な検出手段備え、前記扉が開かれている間は前記電源装置より前記電話機本体に電力が供給されるように構成され、
前記制御手段は、電荷蓄積手段および該電荷蓄積手段を定電流で充電可能な充電手段を備え、前記扉の解放中は前記電源装置が供給可能な最大電流から前記電話機本体の動作時に前記電話機本体へ供給される電流分を引いた残りの電流もしくはその一部で前記電荷蓄積手段を充電し、前記タイマにより所定時間が経過したと判断すると前記解除手段の駆動源を前記電荷蓄積手段の充電電荷で作動させることを特徴とする請求項１または２に記載の沿線電話機。
【請求項４】
前記ストッパは、ほぼ直線状をなし、先端側に前記筐体側に設けられた係止手段と係合可能な係合部を有し、基端部が前記扉の内面に回動可能に取り付けられるとともに、バネによって前記係止手段が前記係合部に係合する方向に回動付勢され、
前記駆動源はソレノイドで構成され、該ソレノイドは前記ストッパの移動方向とほぼ平行な方向にプランジャが移動可能に配設され、
前記解除手段は、前記ストッパの先端部に当接され前記ソレノイドにより回動される作動レバーを備え、該作動レバーが回動されると前記係止手段と前記係合部との係合が外れるように構成されていることを特徴とする請求項１〜３のいずれかに記載の沿線電話機。
【請求項５】
前記係止手段はベアリングを有するローラーピンであり、前記係合部は前記ストッパに形成された切欠きであり、該切欠きは互いにほぼ９０度をなす第１面および第２面を有し、前記第１面が前記ローラーピンと接触することで前記自動閉じ蝶番の力よる前記扉の閉鎖を阻止し、前記第２面が前記ローラーピンの外周面と接触することで前記ストッパによる前記扉の開放状態を維持するとともに、前記切欠きの前記第１面から前記ストッパの側面にかけて外面が円弧状をなす摺動部が形成されていることを特徴とする請求項４に記載の沿線電話機。
【発明の詳細な説明】
【技術分野】
【０００１】
本発明は、鉄道沿線や道路沿線等に所定間隔をおいて設置された連絡用の沿線電話機に関し、特に開閉扉の自動閉扉機能を備えた沿線電話機に関する。
【背景技術】
【０００２】
鉄道沿線には所定間隔（例えば５００ｍ）をおいて連絡用の沿線電話機が設置されており、定期的に保守点検が行われている。従来の沿線電話機には、開閉扉を閉じる方向にバネで付勢するようにした構造のものがあるが、このような電話機には保守点検の際に開閉扉を開いて行うが、扉がバネで付勢されていると作業中に扉が閉じないように手で抑えていなければならず不便である。そのため、開状態を維持するストッパを設けた沿線電話機の発明（例えば特許文献１）が提案され、実用化されている。
【先行技術文献】
【特許文献】
【０００３】
【特許文献１】特開２００２−２７１４６７号公報
【発明の概要】
【発明が解決しようとする課題】
【０００４】
しかしながら、特許文献１のように開状態を維持するストッパを設けた沿線電話機にあっては、作業中に扉が閉じないように抑えていなくても良いため、作業がし易いという利点がある一方、作業終了後に扉の閉め忘れが発生している。しかるに、扉が開いたままであると風雨や降雪による障害発生、機器の劣化が生じるおそれがあるので、扉の閉め忘れが発見されると、いちいち閉めに行かなくてはならない。ところが、沿線電話機は駅舎等から離れている位置に設置されていることが多いとともに、作業中に列車が接近していないか監視する必要があるので、閉め忘れの扉を閉めに行くだけの作業に二人の人員が必要となり、非常に多くの時間と手間がかかってしまうという課題があった。
【０００５】
本発明は上述したような課題に着目してなされたもので、扉の閉め忘れが発生しても所定時間経過すると自動的に扉が閉まるようにすることで作業員を派遣する必要がない沿線電話機を提供することを目的とする。
本発明の他の目的は、既設の沿線電話機の電源装置を交換することなく電話機への電力供給を保証しつつストッパのロック解除機構を動作させることができる沿線電話機を提供することにある。
本発明のさらに他の目的は、極めて少ない消費電力で動作させることができ、既設の沿線電話機に容易に増設することができる小型のストッパロック解除機構を提供することにある。
【課題を解決するための手段】
【０００６】
本発明は、上記目的を達成するために、電話機本体を内部に収納する筐体と、前記筐体の開口面に設けられた扉と、この扉を前記筐体に対して開閉自在に支持すると共に当該扉を閉じる方向に付勢する自動閉じ蝶番とを備えた沿線電話機であって、
前記扉を前記自動閉じ蝶番の力に抗して開いた状態に維持可能なストッパと、
駆動源を備え前記ストッパの開放維持状態を解除可能な解除手段と、
前記駆動源を作動させる制御手段と、を備え、
前記制御手段は、タイマを有し、前記扉が解放されると前記タイマの計時を開始するとともに、前記タイマにより所定時間経過したと判断すると前記解除手段の駆動源を作動させて、前記ストッパの開放維持状態を解除するように構成した。
上記のような構成によれば、扉が解放された後所定時間経過すると制御手段が解除手段の駆動源を作動させてストッパの開放維持状態を解除するため、自動閉じ蝶番の力で扉が閉じるので、扉の閉め忘れにより長時間に亘って電話機の扉が開きっぱなしになるのを防止することができる。
【０００７】
ここで、望ましくは、音声または警告を発生可能な報知手段と、前記タイマをリセットさせるための操作手段と、を備え、
前記制御手段は、前記タイマが所定時間を計時する前に、前記報知手段により前記解除手段が作動することを報知させるようにする。
かかる構成によれば、タイマが所定時間を計時する前にストッパの解除手段が作動することを報知するので、作業時間が長くなって作業中に所定時間が経過して扉が自動的に閉鎖しそうになったとしても、操作手段を操作してタイマをリセットさせることで、扉の自動的閉鎖を回避することができ、突然、作業の中断を余儀されることがなく作業効率を向上させることができる。
【０００８】
また、望ましくは、前記電話機本体の電力を供給する電源装置および前記扉の開閉状態を検出可能な検出手段備え、前記扉が開かれている間は前記電源装置より前記電話機本体に電力が供給されるように構成し、
前記制御手段は、電荷蓄積手段および該電荷蓄積手段を定電流で充電可能な充電手段を備え、前記扉の解放中は前記電源装置が供給可能な最大電流から前記電話機本体の動作時に前記電話機本体へ供給される電流分を引いた残りの電流もしくはその一部で前記電荷蓄積手段を充電し、前記タイマにより所定時間が経過したと判断すると前記解除手段の駆動源を前記電荷蓄積手段の充電電荷で作動させるように構成する。
【０００９】
上記のような構成によれば、扉の解放中に微小電流で電荷蓄積手段を充電し、所定時間が経過すると電荷蓄積手段を充電電荷でロック解除機構を作動させるので、既設の沿線電話機の電源装置を電流供給能力の大きな電源装置に交換することなく、電話機への電力供給を保証しつつストッパの開放維持状態を解除するロック解除機構を動作させることができる。
【００１０】
さらに、望ましくは、前記ストッパは、ほぼ直線状をなし、先端側に前記筐体側に設けられた係止手段と係合可能な係合部を有し、基端部が前記扉の内面に回動可能に取り付けられるとともに、バネによって前記係止手段が前記係合部に係合する方向に回動付勢され、
前記駆動源はソレノイドで構成され、該ソレノイドは前記ストッパの移動方向とほぼ平行な方向にプランジャが移動可能に配設され、
前記解除手段は、前記ストッパの先端部に当接され前記ソレノイドにより回動される作動レバーを備え、該作動レバーが回動されると前記係止手段と前記係合部との係合が外れるように構成する。
【００１１】
上記のような構成によれば、ソレノイドはストッパの移動方向とほぼ平行な方向にプランジャが移動可能に配設されているとともに、ストッパの先端部にソレノイドにより回動される作動レバーが当接されているため、比較的小さなソレノイドで作動レバーを回動させて係止手段と係合部との係合を外すことができ駆動源の小型化が可能であるので、配設スペースの狭い既設の沿線電話機にストッパのロック解除機構を増設することで、扉を閉め忘れても所定時間が経過すると自動的に扉を閉鎖することができる。
【００１２】
また、望ましくは、前記係止手段はベアリングを有するローラーピンであり、前記係合部は前記ストッパに形成された切欠きであり、該切欠きは互いにほぼ９０度をなす第１面および第２面を有し、前記第１面が前記ローラーピンと接触することで前記自動閉じ蝶番の力よる前記扉の閉鎖を阻止し、前記第２面が前記ローラーピンの外周面と接触することで前記ストッパによる前記扉の開放状態を維持するとともに、前記切欠きの前記第１面から前記ストッパの側面にかけて外面が円弧状をなす摺動部が形成されている構成とする。
【００１３】
かかる構成によれば、ローラがストッパの切欠きに係合した状態では、ローラからの反力がストッパの長手方向に作用することで、ストッパの外れを防止しつつストッパの先端がローラから離れる方向に少し移動されるだけで係合が外れてストッパのロック状態が解除されるので、非常に小さな動力でストッパの開放維持状態を解除することができ、ロック解除機構の小型化を図ることができるため、既設の沿線電話機に容易に増設することができる。
【発明の効果】
【００１４】
本発明によれば、扉の閉め忘れが発生しても所定時間経過すると自動的に扉が閉まることで作業員を派遣する必要がない沿線電話機を実現することができる。また、既設の沿線電話機の電源装置を交換することなく、電話機本体への電力供給を保証しつつストッパのロック解除機構を動作させることができる。さらに、極めて少ない消費電力でストッパのロック解除機構を動作させることができるため、既設の沿線電話機に容易に増設することができるという効果が得られる。
【図面の簡単な説明】
【００１５】
【図１】本発明の沿線電話機の一実施例の扉を開いた状態を正面から見た様子を示す斜視図である。
【図２】図１の沿線電話機の扉を開いた状態に維持するストッパの構成（ロック解除機構省略）を示す斜視図である。
【図３】図２のストッパとこれを係止するローラーピンとの関係を示す斜視図である。
【図４】ロック解除機構を含む沿線電話機内部の電気系統を制御する制御回路の具体例を示す回路構成図である。
【図５】図２のストッパを外すためのロック解除機構の具体例の詳細を示す斜視図である。
【発明を実施するための形態】
【００１６】
以下、本発明に係る沿線電話機の実施形態について、図面を参照しながら説明する。
本実施形態に係る沿線電話機１０は、図１に示すように、前面が解放可能な箱状の筐体１１と、該筐体１１の内部に収納された電話機本体１２と、筐体１１の前面開口部を開閉するための扉１３と、内部の電気系統を制御するコントロールボックス１４などから構成されている。
電話機本体１２は、内部に音声送受信用の電話回路基板が内蔵されているとともに、前面にはダイヤル用のプッシュボタン群１５が、また側部には送受話器１６を掛止するためのフック１７が設けられている。
【００１７】
扉１３は、トーションバネを内蔵した自動閉じ蝶番１８ａ，１８ｂによって、筐体１１の前面に回動可能に取り付けられており、トーションバネによって閉じ方向へ付勢されている。また、扉１３の蝶番１８ａ，１８ｂと反対側の縁部にはドア取っ手１３Ａが固定されているとともに、電話機本体１２の上面と扉１３との間には、短冊状のストッパ２１とそのロック解除機構（ソレノイド２９等）が設けられている。なお、図示しないが、電話機本体１２の側方（図では左側方）であって送受話器１６の後方のパネルで覆われた空間には、列車の接近を知らせる列車接近警報装置（ＴＣ列警）などの付属機能装置が設けられている。
【００１８】
なお、本実施形態に係る沿線電話機１０は、扉１３が閉じている状態でこれを開かないようにロックする施錠機構を備えているが、この施錠機構は周知のものと同様であるので、図示および説明を省略する。
電話機本体１２の上部のストッパ２１は、図２に示すように、一端（図では右端）が、扉１３の内面にブラケット２２によって支持されたピン２３に回動可能に枢支されている。なお、図２においては、構造をそのまま表すとストッパ２１の先端部の形状が分かりにくくなるので、ロック解除機構の図示を省略している。
【００１９】
ストッパ２１の他端（図では左端）は、電話機本体１２の上面に取り付けられた係止金具２４にスライド自在に係合されており、先端にはほぼ９０度をなす切欠き２１ａが形成されている。係止金具２４は、帯状板材をコの字状に折り曲げて形成され、両端が電話機本体１２の上面に固定されている。
これにより、係止金具２４と電話機本体１２の上面とで、四角形の孔が構成され、この孔にストッパ２１がスライド自在に挿入されている。
【００２０】
係止金具２４の下面には、係止金具２４を下側から見た図３に示すように、ストッパ２１の幅より僅かに大きい間隔をおいて一対のローラーピン２５ａ，２５ｂが設けられている。このうち、ローラーピン２５ａはガイド＆係止用のローラーピンであり、ストッパ２１の先端の切欠き２１ａにローラーピン２５ａが入り込むことでロックがかかるようになっている。他方のローラーピン２５ｂはガイド用のローラーピンである。ローラーピン２５ａは、摩擦抵抗を減らすつまり小さな力でロックを解除できるようにするため、ベアリングを内蔵したものによって構成するとよい。
【００２１】
図示しないが、ストッパ支承用のピン２３にはトーションバネが介装されており、切欠き２１ａがローラーピン２５ａと係合する方向へストッパ２１を回動付勢している。これにより、扉１３を開くとストッパ２１の背面がローラーピン２５ａと摺接しながら斜め前方へ移動し、切欠き２１ａがピン２５ａの位置まで来ると、ストッパ２１が回動して切欠き２１ａがローラーピン２５ａと係合し、ストッパ２１の逆方向すなわち扉が閉じる方向への移動が阻止される解放維持状態（ロック状態）となる。
通常の作業では、作業終了後に作業者がストッパ２１の中ほどを後方へ押すと、ストッパ２１の切欠き２１ａとローラーピン２５ａとの係合が外れ、自動閉じ蝶番１８ａ，１８ｂに内蔵されているバネの復元力で、扉１３が自動的に閉じるように構成されている。
【００２２】
なお、電話機本体１２の上面には、扉１３が閉じているか否か検出するためのドアスイッチ３１（図２参照）が設けられている。ドアスイッチ３１は、扉１３が閉じた状態になると、例えばブラケット２２の下面によってアクチュエータが押圧されてオン状態となるような位置に配設されることで、扉の開閉状態を検出するように構成することができる。また、本実施例では、ストッパ２１の先端の上面（図３では裏面側）には、ロック解除ピン２６（図５参照）が設けられており、所定時間以上扉が開いた状態が継続すると、ロック解除機構が作動してソレノイドの力でピン２６を押すことでストッパ２１の切欠き２１ａとローラーピン２５ａとの係合を外せるように構成されている。
【００２３】
次に、上記ロック解除機構のソレノイド２９（図５参照）および警告用のブザーやＬＥＤ、スピーカなどの電気部品の作動を制御する前記コントロールボックス（制御装置）１４の構成及び機能について説明する。
前述したように、本実施例の沿線電話機は、ドアスイッチ３１がオン（扉が閉）していると電話機本体１２へ電力を供給し、ドアスイッチ３１がオン（扉が閉）していると電話機本体１２への電力を遮断するように構成されている。これは、電話機による通話は扉を開いた状態で行うためである。一方、制御装置は、作業中で扉が開いているのか閉め忘れで扉が開いているのか知ることができない。そこで、本実施例では、所定時間（例えば１時間）扉の開状態が継続した場合には、閉め忘れと判断してロック解除機構を作動させて扉を閉鎖させる機能を持たせることとした。
【００２４】
ただし、扉１３が所定時間以上開いている場合であっても、ロック解除機構を作動させて扉を閉鎖させて閉じるまでは、電話機本体１２へ電力の供給を保証し続ける必要がある。ところが、既設の沿線電話機の電源装置は、最も消費電力の大きな電話機本体１２の動作電流に若干の余裕を持たせた程度の電流供給能力しか有してない。その結果、ロック解除機構を設け該ロック解除機構を作動させる直前に警報音や音声を発生させようとすると、電力が不足して電話機本体１２へ電力の供給を保証することができない。
【００２５】
そこで、本実施例のコントロールボックス（制御装置）１４においては、大容量のキャパシタを実装して、扉が開いている間に余裕電流（数１０ｍＡ）でキャパシタを充電し、ロック解除機構の作動時の電力不足を補えるように構成した。
また、作業時間が長くなり、作業中に自動ロック解除機構が作動する状況になったとしても、前もって作動を報知して、作業者がリセットボタンを押すと、ロック解除機構が作動しないようにする機能も持たせることとした。
なお、扉１３の開閉状態に応じた電話機本体１２へ電力の供給／遮断は、ドアスイッチ３１の信号に基づいて行うことができる。
【００２６】
図４には、上記のような機能を有するコントロールボックス１４の具体的な回路構成例を示す。
図４において、符号４１が付されているのが制御装置の主役となるマイクロプロセッサのような制御部、符号４２が付されているのが電源装置である。制御部４１には、コントロールボックス１４の筐体表面に設けられているリセットボタン４３からの信号および筐体内部の基板に実装されているロータリスイッチのような設定器４４Ａ，４４Ｂからの信号が入力可能にされている。
【００２７】
また、制御部４１には、該制御部４１から出力される信号に基づいて警告音を発する電子ブザー４５を駆動するインバータのようなドライバ４６Ａ、発光表示用のＬＥＤ４７を駆動するドライバ４６Ｂ、スピーカ４８の再生開始信号を出力するドライバ４６Ｃが接続されている。
電源装置４２は、外部からの＋４８Ｖのような電源電圧に基づいて＋１２Ｖのような内部電源電圧を生成するＤＣ−ＤＣコンバータもしくはスイッチングレギュレータからなり、該電源装置４２には、制御部（ＣＰＵ）４１や電子ブザー４５、ＬＥＤ４７等の動作電圧（＋５Ｖ）を生成する定電圧回路４９Ａおよび定電流充電回路５０Ａが接続されている。また、電源装置４２には、定電流充電回路５０Ｂの動作電圧（＋５.６Ｖ）を生成する定電圧回路４９Ｂが接続されている。このうち、定電流充電回路５０Ａは、電気二重層キャパシタのような大容量のキャパシタ（コンデンサ）５１Ａを微弱な定電流で充電し、定電流充電回路５０Ｂは、同じく大容量のキャパシタ５１Ｂを微弱な定電流で充電するために設けられている。
【００２８】
また、上記キャパシタ５１Ａとロック解除機構のソレノイド２９との間には、例えばフォトカプラのようなオン、オフ制御用の電子スイッチ５２Ａが設けられ、ソレノイド２９はキャパシタ５１Ａの充電電荷で駆動されるように構成されている。また、上記ドライバ４６Ｃとスピーカ４８Ｂを駆動する音声再生ボード５３との間には、オン、オフ制御用の電子スイッチ５２Ｂが設けられているとともに、キャパシタ５１Ｂには音声再生ボード５３の電源端子が接続され、スピーカ４８はキャパシタ５１Ｂの充電電荷で駆動されるように構成されている。
【００２９】
なお、電子スイッチ５２Ａは制御部４１から出力される信号を受けるドライバ４６Ｄによってオン、オフ制御され、電子スイッチ５２Ｂはドライバ４６Ｃによってオン、オフ制御される。
上記のように本実施例のコントロールボックス（制御装置）は、キャパシタの充電電荷でロック解除機構のソレノイド２９やスピーカ４８を駆動するように構成されているため、既存の電源装置を電流供給能力の高いものに交換することなく、新たに設けたロック解除機構を作動させることができる。
【００３０】
さらに、本実施例のコントロールボックス（制御装置）においては、制御部４１に接続されている設定器（ロータリスイッチ）４４Ａを操作することで、扉解放時から自動ロック解除機構が作動するまでの時間を、０時間〜１５時間までの範囲で１時間おきに設定できるように構成され、設定器４４Ｂを操作することで、自動ロック解除機構の作動直前の警報送出時間を、０秒〜３００秒までの範囲で２０秒おきに設定できるように構成されている。
また、例えば警報送出中にリセットボタン４３が押されると、自動ロック解除機構が作動するまでの時間を計時するタイマがリセットされて自動ロック解除機構の作動が中止される。さらに、設定器４４Ａによる設定時間の経過で制御部４１がソレノイド２９の駆動制御信号を出力した後しばらくたってもドアスイッチ３１がオンにならない場合には、１時間後に自動ロック解除機構（ソレノイド２９）の作動のリトライを実行するように構成されている。
【００３１】
図５には、電話機本体１２の上部に設けられているストッパ２１のロック解除機構の詳細が示されている。このロック解除機構は、既設の沿線電話機に対して、後から増設できるように工夫されている。具体的には、既設の沿線電話機のストッパ機構は、図２に実線で示されている構成であり、これに図５に示すようなソレノイドを駆動源とするロック解除機構を、電話機本体１２の上方の比較的狭い空間に増設可能にしたものである。
【００３２】
図５に示されているように、ストッパ２１の先端側が挿入されるコの字状の係止金具２４の上面には、支軸２７によってＬ字状のレバー２８が回動可能に枢支されているとともに、電話機本体１２の上面には、ストッパ２１とほぼ同一の方向に沿ってソレノイド２９が固定されている。そして、該ソレノイド２９のプランジャ２９ａの先端に作動プレート３２が固着され、該作動プレート３２の他端が上記レバー２８の一方の端部にピン３３にて回動可能に連結されている。
また、上記レバー２８の他方の端部の側面は、ストッパ２１の先端の切欠き２１ａ（図３参照）がローラーピン２５ａに係合している解放維持状態で、ストッパ２１の先端のロック解除ピン２６の周面に当接するように構成されている。
【００３３】
さらに、図３に示されているように、ストッパ２１の先端の切欠き２１ａのストッパ２１の側面に連続する部位には、ローラーピン２５ａが切欠き２１ａから外れ易くするために、円弧状の摺動部２１ｂが形成されている。そして、切欠き２１ａの最奥部から円弧状の摺動部２１ｂの開始点までの長さＬ１は、ローラーピン２５ａの半径よりも僅かに大きな値に設定されている。
これにより、ローラーピン２５ａが切欠き２１ａに係合した状態では、ローラーピン２５ａからの反力がストッパ２１の長手方向に作用することで、ストッパ２１の外れを防止しつつ、ストッパ２１の先端がローラーピン２５ａから離れる方向に少し移動するだけで係合が外れてロックが解除されるようになる。つまり、ストッパ２１の先端のロック解除ピン２６を軽く押してやるだけで、係合が外れてロックが解除される。
【００３４】
図５のロック解除機構は、ソレノイド２９が励磁されると、プランジャ２９ａが収縮して先端に固定されている作動プレート３２を引っ張る。すると、作動プレート３２がレバー２８を反時計回り方向へ回動させるため、レバー２８の他方の端部の側面がストッパ２１の先端のロック解除ピン２６を押圧して、ストッパ２１を時計回り方向へ回動させるので、切欠き２１ａとローラーピン２５ａとの係合が外れて解放維持状態（ロック状態）が解除され、ストッパ２１の先端が筐体１１の奥の方へ移動して扉１３が閉じるようになっている。
【００３５】
図１を参照すると分かるように、電話機本体１２の上面には、ストッパ２１および係止金具２４が配設されており、追加部品を配置する空白スペースが限られているが、本実施例においては、上述したように、ストッパ２１とほぼ同一の方向に沿ってソレノイド２９が配設されており、該ソレノイド２９のプランジャ２９ａの直線移動をレバー２８を介して、ストッパ２１の先端に設けられているロック解除ピン２６を押圧する方向に移動に変換して解放維持状態（ロック状態）を解除するように構成されているため、電話機本体１２の上面という比較的狭い空間であってもロック解除機構を配設することができる。
【００３６】
さらに、ストッパ２１の先端の切欠き２１ａには円弧状の摺動部２１ｂが形成されており、ローラーピン２５ａが少しでもこの摺動部２１ｂにかかると自動閉じ蝶番１８ａ，１８ｂからストッパ２１に作用する力の分力がストッパ２１を回動させる方向に働くようになる。そのため、ソレノイド２９の駆動力が小さくても、言い換えると、ソレノイド２９の駆動力の小さなソレノイド２９を使用したとしても、容易にストッパ２１の切欠き２１ａとローラーピン２５ａとの係合を外して解放維持状態（ロック状態）を解除することができる。
そして、このように駆動力の小さなソレノイド２９を使用してストッパ２１の解放維持状態を解除することができるため、前述したように、キャパシタの充電電荷のみでソレノイドを駆動することができ、それによって既存の電源装置を、電流供給能力の高い電源装置に交換する必要がないという効果が達成される。
【００３７】
以上本発明者によってなされた発明を実施形態に基づき具体的に説明したが、本発明は前記実施形態に限定されるものではない。例えば、前記実施形態においては、ストッパ２１のロックを外すのにソレノイドを使用しているが、モータを使用するようにしても良い。また、前記実施形態においては、ストッパ２１およびそのロック解除機構を電話機本体の上面に設けているが、電話機本体の下面に設けるようにして良い。また、オンフックの信号をコントロールボックス１４の制御部４１へ入力して、送受話器１６がフック１７から外れている間はタイマが起動しないように構成しても良い。これにより、作業時間が設定器４４Ａの設定時間を越えたとしても、通話中であればロック解除機構が作動しないようにすることができる。
さらに、前記実施形態においては、本発明を沿線電話機に適用した場合について説明したが、本発明は鉄道沿線等屋外に配設される制御箱一般に利用することができる。
【符号の説明】
【００３８】
１０  沿線電話機
１１  筐体
１２  電話機本体
１３  扉
１４  コントロールボックス（制御手段）
１５  ダイヤル用のプッシュボタン群
１６  送受話器
１８ａ，１８ｂ  自動閉じ蝶番
２０  ロック解除機構
２１  ストッパ
２１ａ  切欠き（係合部）
２５ａ  ローラーピン（係止手段）
２８  作動レバー
２９  ソレノイド（駆動源）
４２  電源装置
４３  操作手段（リセットボタン）
５１Ａ，５１Ｂ  キャパシタ（電荷蓄積手段）
【図１】
0006365022.tif 000002
【図２】
0006365022.tif 000003
【図３】
0006365022.tif 000004
【図４】
0006365022.tif 000005
【図５】
0006365022.tif 000006